(57)【要約】  本開示は、untrusted 非3GPPアクセスネットワーク及び3GPPアクセスネットワークを介した5GCへの登録をサポートするUEにおける登録手順を記載する。より具体的には、本開示は、5GCへ第1のアクセスネットワークタイプ（例えば、untrusted 非3GPPアクセスネットワーク）を介した登録要求メッセージを最大回数送信した後に前記第1のアクセスネットワークタイプを介した5GCへの登録手順が成功せず、UEが他のアクセスネットワーク（例えば、3GPPアクセスネットワーク（NG-RAN））を介して5GCへ登録されている場合のUEの動作を定義する。【選択図】図１
2021508216.tif 000002
【特許請求の範囲】
【請求項１】
3GPP（3rd Generation Partnership Project）及び非3GPPアクセスの両方を介して同一のAMF（Access and mobility Management Function）を用いて登録手順（registration procedure）を実行するuser equipmentの方法であって、
前記3PPアクセス及び前記非3GPPアクセスのうちの一方のアクセスネットワークを介して前記AMFと前記登録手順を開始し、この場合、user equipmentは、前記一方のアクセスネットワークとは異なる他方のアクセスネットワークを介して前記AMFに既に登録されており、
前記一方のアクセスネットワークを介した前記登録手順が開始された時にタイマーT3510を起動し、
前記タイマーT3510の満了に基づいて前記一方のアクセスネットワークを介して登録を試みた回数をカウントし、
前記一方のアクセスネットワークを介して登録を試みた回数がある回数と同じ値になった場合であっても、前記user equipmentは、前記他方のアクセスネットワークに割り当てられた5G-GUTI（5G-Globally Unique Temporary Identity）を保持することを可能とし、
前記5G-GUTIは、前記3GPPアクセス及び前記非3GPPアクセスの両方に共通である、方法。
【請求項２】
3GPP（3rd Generation Partnership Project）及び非3GPPアクセスの両方を介して同一のAMF（Access and mobility Management Function）を用いて登録手順（registration procedure）を実行するuser equipmentであって、
トランシーバと、
前記3PPアクセス及び前記非3GPPアクセスのうちの一方のアクセスネットワークを介して前記AMFと前記登録手順を開始し、この場合、user equipmentは、前記一方のアクセスネットワークとは異なる他方のアクセスネットワークを介して前記AMFに用いて既に登録されており、
前記一方のアクセスネットワークを介した前記登録手順が開始された時にタイマーT3510を起動し、
前記タイマーT3510の満了に基づいて前記一方のアクセスネットワークを介して登録を試みた回数をカウントするように構成されるプロセッサと、を備え、
前記一方のアクセスネットワークを介して登録を試みた回数がある回数と同じ値になった場合であっても、前記user equipmentは、前記他方のアクセスネットワークに割り当てられた5G-GUTI（5G-Globally Unique Temporary Identity）を保持することを可能とし、
前記5G-GUTIは、前記3GPPアクセス及び前記非3GPPアクセスの両方に共通である、user equipment。
【発明の詳細な説明】
【技術分野】
【０００１】
本開示は、送信されたRegistration Request messageの数に対してネットワークから応答がないことにより同一のPLMNに対するあるアクセスタイプを介した登録手順が失敗した場合に、5GCへの他のアクセスネットワークを介したUEの登録手順の間にネットワークによってUEへ割り当てられた一時NASパラメータ（Temporary mobile identity、Security parameter等）の扱いに関する。
【背景技術】
【０００２】
一般的に、UEに割り当てられた一時NASパラメータ（temporary NAS parameters）は、単一のアクセスネットワークタイプに関連付けられる。しかし、UEが同時に2つのアクセスネットワークタイプを経由してPLMNに登録される場合、両方のアクセスネットワークタイプに対して単一のAMFが選択される。このシナリオでは、ネットワークは、両方のアクセスネットワークタイプに共通のNASパラメータ (一時的なmobile identity、セキュリティパラメータなど) をUEに割り当てる。
UEが非3GPPアクセスネットワークと3GPPアクセスネットワークの両方を介して同時に5GC ( AMF ) に登録した場合、 UEは、一方は3GPPアクセスネットワーク用であり、他方は非3GPPアクセスネットワーク用である、2つの独立した5GMM登録ステータスと、5GMMコンテキストと、を維持する。3GPPアクセスネットワーク用に登録されたPLMNと非3GPPアクセスネットワーク用に登録されたPLMNとが同じ場合、UEは同じAMFに接続する。このシナリオでは、5GC ( AMF ) は、3GPPアクセスネットワーク用の5GMMコンテキストと非3GPPアクセスネットワーク用の5GMMコンテキストの両方に、UE temporary identity (5G-GUTI) とngKSIなどの同じNASパラメータを割り当てる。
【発明の概要】
【発明が解決しようとする課題】
【０００３】
プロブレムステートメント1:
UEがあるアクセスネットワークタイプ (例:非3GPPアクセスネットワーク) を介してPLMNに登録した後、別のアクセスネットワークタイプ (例えば3GPPアクセスネットワーク) を介した初期登録手順（initial registration procedure）が失敗する可能性がある。具体的には、 UEからの登録要求メッセージ(registration request message)が最大数送信された後、ネットワークからUEへの応答がない場合、初期登録手順の失敗が起こり得る。この失敗状況では、UE temporary identityとngKSIが、 3GPP 5GMMコンテキストと非3GPP 5GMMコンテキストの両方から削除されるのか、あるいは前記の別のアクセスネットワーク上で登録手順が失敗した場合のそのアクセスネットワークタイプ (ここでは3GPPアクセスネットワーク) の5GMMコンテキストから削除されるのか、 UEの動作（UE behavior）は明らかではない。一方のアクセスネットワークタイプでの登録手順の失敗により、UEが3GPP 5GMMコンテキストと非3GPP 5GMMコンテキストとの両方の共通パラメータ (temporary identity及びngKSIなど) を削除すると、もう一方のアクセスネットワークタイプの機能の一部が動作しなくなる。これは、重大なサービスの低下と考えられる。
【０００４】
プロブレムステートメント2:
UEが第1のアクセスネットワークタイプおよび第2のアクセスネットワークタイプの両方を介してPLMNに登録した場合、UEは、1つのアクセスネットワークタイプ上でモビリティ更新手順（mobility update procedure）または周期的更新手順（periodic update procedure）を実行するためにNAS手順（NAS procedure）を開始する。次に、ネットワークは、現在のNAS手順の間にUEに送信されたNASメッセージにパラメータを含めることによって、一時パラメータ(temporary parameter) (例:5G-GUTI) を新しい値で更新し、その後、ネットワークは、一時パラメータを含むNASメッセージに応答する、別のNASメッセージを待つ。このシナリオでは、ネットワークが新しい値を有効なパラメータとして保持して処理するのか、パラメータの古い値を保持して処理するのかネットワークの動作が明確ではない。別のシナリオでは、ネットワークが、NASメッセージをUEに送信することによって、第1のアクセスネットワークタイプと第2のアクセスネットワークタイプの両方に共通の一時パラメータ (例:5G-GUTI) を更新する手順を開始し、NASメッセージをUEに再送信することによって、ある回数の再試行の後、ネットワークがUEからNASメッセージ応答を受信しない場合、ネットワークがある回数の再試行の後に古い値と新しい値のどちらを使用するかネットワークの動作が明確ではない。ネットワークがUEをページングするとき、一時パラメータ (例:5G-GUTI) の新しい値だけをネットワークが使用する場合、ページング手順（paging procedure）は、 UEが一時パラメータ (例:5G-GUTI) の古い値を使用するかもしれないので、失敗しうる。UEとネットワークでの不一致により、ネットワークからUEに到達できない。これは、重大なサービスの低下と考えられる。
【０００５】
図1は、この障害が発生するアーキテクチャを示している。
【課題を解決するための手段】
【０００６】
本開示の第1の態様にかかる方法は、3GPP（3rd Generation Partnership Project）及び非3GPPアクセスの両方を介して同一のAMF（Access and mobility Management Function）を用いて登録手順（registration procedure）を実行するuser equipmentの方法であって、前記3PPアクセス及び前記非3GPPアクセスのうちの一方のアクセスネットワークを介して前記AMFを用いた前記登録手順を開始し、この場合、user equipmentは、前記一方のアクセスネットワークとは異なる他方のアクセスネットワークを介して前記AMFを用いて既に登録されており、前記一方のアクセスネットワークを介した前記登録手順が開始された時にタイマーT3510を起動し、前記タイマーT3510の満了に基づいて前記一方のアクセスネットワークを介して登録を試みた回数をカウントし、前記一方のアクセスネットワークを介して登録を試みた回数がある回数と同じ値になった場合でさえ、前記user equipmentは、前記他方のアクセスネットワークに割り当てられた5G-GUTI（5G-Globally Unique Temporary Identity）を保持することを可能とし、
前記5G-GUTIは、前記3GPPアクセス及び前記非3GPPアクセスの両方に共通である。
【０００７】
本開示の第2の態様にかかるuser equipmentは、3GPP（3rd Generation Partnership Project）及び非3GPPアクセスの両方を介して同一のAMF（Access and mobility Management Function）を用いて登録手順（registration procedure）を実行するuser equipmentであって、トランシーバと、前記3PPアクセス及び前記非3GPPアクセスのうちの一方のアクセスネットワークを介して前記AMFを用いた前記登録手順を開始し、この場合、user equipmentは、前記一方のアクセスネットワークとは異なる他方のアクセスネットワークを介して前記AMFを用いて既に登録されており、前記一方のアクセスネットワークを介した前記登録手順が開始された時にタイマーT3510を起動し、前記タイマーT3510の満了に基づいて前記一方のアクセスネットワークを介して登録を試みた回数をカウントするように構成されるプロセッサと、を備え、前記一方のアクセスネットワークを介して登録を試みた回数がある回数と同じ値になった場合でさえ、前記user equipmentは、前記他方のアクセスネットワークに割り当てられた5G-GUTI（5G-Globally Unique Temporary Identity）を保持することを可能とし、前記5G-GUTIは、前記3GPPアクセス及び前記非3GPPアクセスの両方に共通である。
【図面の簡単な説明】
【０００８】
【図１】図1に非3GPPアクセスを伴う5Gコアネットワークに関する非ローミングアーキテクチャを示す。
【図２】図2は、同じAMFに接続する3GPPアクセスと非3GPPアクセスの登録手順を示す。
【図３Ａ】図3Aは、同じAMFに接続する3GPPアクセスと非3GPPアクセスの登録手順を示す。
【図３Ｂ】図3Bは、同じAMFに接続する3GPPアクセスと非3GPPアクセスの登録手順を示す。
【図４】図4は、UEのブロック図を示す。
【図５】図5は、(R) ANノードのブロック図を示す。
【図６】図6は、AMFのブロック図を示す。
【発明を実施するための形態】
【０００９】
本文書では、3GPP TR 21.905、3GPP TS 23.501、3GPP TS 24.501、3GPP TS 33.800および以下に示す略号を適用する。本文書で定義されている略語は、TR 21.905で同じ略語が定義されている場合、その定義よりも優先される。
5GC            5G Core Network
5GS            5G System
5G-AN        5G Access Network
5G-GUTI        5G Globally Unique Temporary Identifier
5G-S-TMSI    5G S-Temporary Mobile Subscription Identifier
5QI            5G QoS Identifier
AF            Application Function
AMF            Access and Mobility Management Function
AN            Access Node
AS            Access Stratum
AUSF          Authentication Server Function
CP            Control Plane
DL            Downlink
DN            Data Network
DNAI          DN Access Identifier
DNN            Data Network Name
EDT            Early Data Transmission
FQDN          Fully Qualified Domain Name
GFBR          Guaranteed Flow Bit Rate
GMLC          Gateway Mobile Location Centre
GPSI          Generic Public Subscription Identifier
GUAMI        Globally Unique AMF Identifier
HR            Home Routed (roaming)
LADN          Local Area Data Network
LBO            Local Break Out (roaming)
LMF            Location Management Function
LRF            Location Retrieval Function
MAC            Medium Access Control
MFBR          Maximum Flow Bit Rate
MICO          Mobile Initiated Connection Only
N3IWF        Non-3GPP InterWorking Function
NAI            Network Access Identifier
NAS            Non-Access Stratum
NEF            Network Exposure Function
NF            Network Function
NG-RAN        Next Generation Radio Access Network
NR            New Radio
NRF            Network Repository Function
NSI ID        Network Slice Instance Identifier
NSSAI        Network Slice Selection Assistance Information
NSSF          Network Slice Selection Function
NSSP          Network Slice Selection Policy
PCF            Policy Control Function
PEI            Permanent Equipment Identifier
PER            Packet Error Rate
PFD            Packet Flow Description 
PPD            Paging Policy Differentiation
PPI            Paging Policy Indicator
PSA            PDU Session Anchor
QFI            QoS Flow Identifier
QoE            Quality of Experience
(R)AN        (Radio) Access Network
RLC            Radio Link Control
RQA            Reflective QoS Attribute
RQI            Reflective QoS Indication
RRC            Radio Resource Control
SA NR        Standalone New Radio
SBA            Service Based Architecture
SBI            Service Based Interface
SD            Slice Differentiator
SDAP          Service Data Adaptation Protocol
SEAF          Security Anchor Functionality
SEPP          Security Edge Protection Proxy
SMF            Session Management Function
S-NSSAI        Single Network Slice Selection Assistance Information
SSC            Session and Service Continuity
SST            Slice/Service Type
SUCI          Subscription Concealed Identifier
SUPI          Subscription Permanent Identifier
UDSF          Unstructured Data Storage Function
UL            Uplink
UL CL        Uplink Classifier
UPF            User Plane Function
UDR            Unified Data Repository
URSP          UE Route Selection Policy
Evolved E-UTRAN:  E-UTRANCE connected to both 5GC and EPC. It is ng-eNB as defined in 3GPP TS 38.300.
ePLMN:  Equivalent PLMN.
【００１０】
プロブレムステートメント1のソリューション1:
UEがあるアクセスネットワークタイプを介して5GCに登録している間に、UEが他方のアクセスネットワークタイプを介してある回数送信された登録要求メッセージ（registration request message）に対する応答を受信しない場合、UEは、非3GPP 5GMMコンテキストと3GPP 5GMMコンテキストとの間で共有されている共通NASパラメータを削除してはならない。 
【００１１】
ソリューションの主なポイントは以下のとおりである。
【００１２】
(1) UEは、第1のアクセスネットワークタイプ (例えば3GPPアクセスネットワーク) を介してPLMNの5GC ( AMF ) に登録される。UEは5GCに関連する一時パラメータ、例えばUE Temporary identity (5G‐GUTI) 、 ngKSIなどを割り当てられている。UEは、5GCへ登録するための第1のアクセスネットワークタイプを有する登録されたPLMNの同じ5GC ( AMF ) に、第2のアクセスネットワークタイプを用いて第1のNASメッセージを送信することによって初期登録手順を開始する。UEは、第1のNASメッセージの送信に対する応答をネットワークから受信しなかった後、第2のアクセスネットワークタイプを用いて第1のNASメッセージを同じ5GCに再送する。UEはこの再送手順をある回数繰り返す。ある回数の初期登録手順の失敗の後、UEは第1のアクセスネットワークタイプに割り当てられた一時パラメータを保持（keep）する。
【００１３】
(2) UEは、第1のアクセスネットワークタイプに関連するNASおよびAS手順のための一時パラメータを使用する。
【００１４】
(3) ある時間間隔の後、UEは、第1のアクセスネットワークタイプを有する登録されたPLMNの同じ5GC ( AMF ) に、第2のアクセスネットワークタイプを介して、UE temporary identityを含む第1のNASメッセージを送信することによって、再び初期登録手順を開始する。
【００１５】
(4) UEは、第2のアクセスネットワークタイプに関連するNASまたはAS手順において一時パラメータを使用し続ける。
【００１６】
(5) 上記のステップの第1のNASメッセージはREGISTRATION REQUESTメッセージであり、登録タイプ（registration type）とともに送信される。
【００１７】
問題1を解決するためのソリューション1の詳細な手順は、図2のとおりである。 
【００１８】
1.UEは、第1のアクセスネットワークタイプ (例えば3GPPアクセスネットワーク) を介してPLMNの5GC ( AMF ) に登録される。UEは、第1のアクセスネットワークタイプでのPLMNへの登録中に、PLMNの5GCに関連する一時パラメータ (例:UE Temporary identity (5G-GUTI) 、 ngKSI) が割り当てられている。
【００１９】
2.UEは、第2のアクセスネットワークタイプ (例:非3GPPアクセスネットワーク) 上で登録解除（deregistered）されている(たとえば 5GMM-DEREGISTERED状態)。UEは、第2のアクセスネットワークタイプを介して、登録されたPLMNに対して初期登録手順を開始する。
【００２０】
3.UEは、第1のアクセスネットワークタイプを介して登録されたPLMNへ第2のアクセスネットワークタイプを介して第1のNASメッセージを送信する。UEは、5G-GUTIを用いて第2のアクセスネットワークタイプへのaccess stratum connectionを確立する。UEは、第1のアクセスネットワークタイプを介してPLMNに登録された際に割り当てられた5G-GUTIを含む第1のNASメッセージを第2のアクセスネットワークに送信する。ASレイヤは、第1のアクセスネットワークタイプに対して登録が実行されたAMFと同じAMFを選択し、第1のNASメッセージをAMFに転送する。
【００２１】
4.UEはタイマーT1を起動する。タイマーT1の持続時間は秒単位 (例:10秒) である。 
【００２２】
5.タイマーT1が満了し、タイマーT1が満了したときにUEが第1のNASメッセージの送信に対する応答をネットワークから受信しなかった場合、UEは、同じ5G-GUTIを含む第1のNASメッセージを第2のアクセスネットワークタイプを介してPLMNに再送し、タイマーT1を起動する。 
【００２３】
6.ステップ5でUEは、第1のNASメッセージの送信の応答としてNASメッセージを受信しなかった場合、UEはステップ5をある回数実行する。UEは、NASメッセージを受信していない場合、ある回数のリトライの後、リトライごとに一時パラメータ (5G-GUTI、ngKSI、ePLMNなど。) を保持（keep）する。UEは、第1のアクセスネットワークタイプのASおよびNAS関連の手順でこれらのパラメータを使用し続ける。UEは、別のタイマーT2を起動する。タイマーT2が満了すると、UEはステップ3からこの手順を継続する。
【００２４】
上記のシナリオ/ステップでは、
【００２５】
第1のアクセスネットワークタイプおよび第2のアクセスネットワークタイプは、3GPPアクセスネットワーク、例えばNG-RAN、または、非3GPPアクセスである。第1のアクセスネットワークタイプと第2のアクセスネットワークタイプは異なる、すなわち、第1のアクセスネットワークタイプが3GPPアクセスである場合、第2のアクセスネットワークタイプは非3GPPアクセスである。
【００２６】
上記ステップにおいて、T2のタイマー値はT1のタイマー値よりも大きい。タイマーT1は、3GPP TS 24.501で定義されるT3510である。 
【００２７】
上記の手順では、UEは第1のアクセスネットワークタイプ上では5GMM-CONNECTEDモード、もしくは、5GMM-IDLEモードである。
【００２８】
上記のステップで、第1のNASメッセージは、既存のNASメッセージ、3GPP TS 24.501で定義されているREGISTRATION REQUESTメッセージ、または新しいNASメッセージである。 
【００２９】
UEは、タイマーT2の起動前に、第1のNASメッセージ、例えば登録要求メッセージを5回送信する。
【００３０】
UEが、割り当てられた一時パラメータ (例:UE Temporary identity (5G-GUTI) 、 ngKSI) を削除すると、一部の機能が動作しなくなる。このような状況の1つの例として、ng KSIを削除すると、第1のアクセスネットワークでセキュリティ機能が動作しなくなる。このような状況の別の例として、5G-GUTIが削除された場合、第1のアクセスネットワークでは、UE及びネットワーク起動手順が不可能となる(例:UEをページングできない)。したがって、 UEが割り当てられた一時パラメータを保持する場合、技術的な利点がある。
【００３１】
ソリューション1の変形:
(1) あるシナリオでは、UEが第1のアクセスネットワークタイプに登録されていない場合、ステップ6でUEは一時パラメータ(5G-GUTI、ngKSI、ePLMNおよびその他の一時NASパラメータ)を削除する。これに続いて、UEは新しいPLMNを探索するか、またはタイマーT2を起動する。タイマーT2が満了すると、UEはSUCIを使用してREGISTRATION REQUESTメッセージを送信する。
【００３２】
(2)あるシナリオでは、ステップ6の後、UEは第2のアクセスネットワークタイプを介してネットワークからRegistration Acceptメッセージを受信する。これに続いて、UEは第2のアクセスネットワークタイプ上で5GMM-REGISTERED状態に入る。
【００３３】
(3) あるシナリオでは、UEがステップ6で一時パラメータ (5G-GUTI、ngKSI、ePLMNなど。) を保持するとき、UEは第1のアクセスネットワークタイプに割り当てられていない他のパラメータを解放してもよい。他のパラメータは、一時パラメータとは異なる。
【００３４】
プロブレムステートメント2のソリューション2:
UEがあるアクセスネットワークタイプを介して5GCに登録している間に、ネットワーク (5GC (例:AMF)) が、他方のアクセスネットワークタイプを介してある回数送信されたREGISTRATION ACCEPTメッセージに対する応答を受信しない場合、ネットワークは、非3GPP 5GMMコンテキストと3GPP 5GMMコンテキストとの間で共有されている共通NAS一時パラメータを削除せず、前記のあるアクセスを介して共通NAS一時パラメータを使用し続けてもよい。
【００３５】
ソリューションの主なポイントは以下のとおりである。
【００３６】
(1) UEは、第1のアクセスネットワークタイプ (例えば3GPPアクセスネットワーク) を介してPLMNの5GC ( AMF ) に登録される。UEは、第1のアクセスネットワークタイプでのPLMNへの登録中に、PLMNの5GCに関連する一時パラメータ (例:UE Temporary identity (5G-GUTI) 、 ngKSI) が割り当てられている。UEは、第2のアクセスネットワークタイプ (例:非3GPPアクセスネットワーク) 上で登録解除状態 (例:5GMM-DEREGISTERED状態) にある。UEは、第2のアクセスネットワークタイプを介して、第1のアクセスネットワークタイプを有する登録されたPLMNに対して初期登録手順を開始する。 
【００３７】
(2) 5GC ( AMF ) は、第2のアクセスネットワークタイプを介して初期登録手順を実行するよう5GCに要求する第1のNASメッセージを受信する。5GCは、UEからの初期登録要求を受け付け、第1のNASメッセージに応答して、登録に成功したことをUEに示す第2のNASメッセージを送信する。5GCは、第2のNASメッセージに一時パラメータの新しい値を含める。第2のNASメッセージに一時パラメータの新たな値が含まれている場合、5GCはタイマーT3を起動し、第2のNASメッセージへの応答としてUEからの第3のNASメッセージを待つ。
【００３８】
(3) ネットワークがUEから第3のNASメッセージを受信せず、タイマーT3が満了すると、ネットワークは第2のNASメッセージを再送し、タイマーT3を起動する。
【００３９】
(4) ネットワークはステップ3をある回数繰り返し、ネットワークがUEからの第3のNASメッセージを受信しない場合、ネットワークはパラメータの新しい値と古い値の両方を有効とみなす。
【００４０】
プロブレムステートメント2を解決するためのソリューション2の詳細なステップは、図3Aおよび3Bに記載されているとおりである。
【００４１】
1.UEは、第1のアクセスネットワークタイプ (例えば3GPPアクセスネットワーク) を介してPLMNの5GC ( AMF ) に登録される。UEは、第1のアクセスネットワークタイプでのPLMNへの登録中に、PLMNの5GCに関連する一時パラメータ (例:UE Temporary identity (5G-GUTI) 、 ngKSI) が割り当てられている。
【００４２】
2.UEは、第2のアクセスネットワークタイプ (例:非3GPPアクセスネットワーク) 上で登録解除状態 (例:5GMM-DEREGISTERED状態) にある。UEは、第2のアクセスネットワークタイプを介して、第1のアクセスネットワークタイプを有する登録されたPLMNに対して初期登録手順を開始する。 
【００４３】
3.5GC ( AMF ) は、第2のアクセスネットワークタイプを介して初期登録手順を実行するよう5GCに要求する第1のNASメッセージを受信する。
【００４４】
4.5GCは、UEからの初期登録要求を受け付け、第1のNASメッセージに応答して、登録に成功したことをUEに示す第2のNASメッセージを送信する。5GCは、第2のNASメッセージに一時パラメータの新しい値を含める。
【００４５】
5.第2のNASメッセージに一時パラメータの新たな値が含まれている場合、5GCはタイマーT3を起動し、第2のNASメッセージの応答としてUEからの第3のNASメッセージを待つ。
【００４６】
6.UEは第2のNASメッセージを受信し、第3のNASメッセージを送信するが、第3のNASメッセージはUEとネットワークとの間で失われる。
【００４７】
7.タイマーT3が満了し、タイマーT3が動作している間にUEからの第2のNASメッセージの応答として5GCが第3のNASメッセージを受信しない場合、5GCは第2のNASメッセージを再送し、タイマーT3を再起動する。
【００４８】
8.UEは第2のNASメッセージを受信し、第3のNASメッセージを送信するが、第3のNASメッセージはUEとネットワークとの間で失われる。
【００４９】
9.5GC ( AMF ) は、ステップ4をある回数 (n) 繰り返す。5GCが第2のNASメッセージの応答として第3のNASメッセージを受信しない場合、ある回数の再試行の後、5GCは第2のNASメッセージの再送を停止し、第2のアクセスネットワークタイプ上の初期登録手順を中止する。第1のアクセスネットワークタイプ上のUEの登録ステータスは変更されず、第1のアクセスネットワークタイプ上の進行中のNAS手順は影響を受けない。5GCは一時パラメータの新しい値と古い値の両方を保持する。5GCは、新しい値と古い値の両方を第1のアクセスネットワークタイプで有効な値として扱う。5GCは、第1のアクセスネットワークタイプを介するUE 起動手順またはnetwork 起動手順に、古い値または新しい値、あるいは新しい値と古い値の両方を使用する。5GCが一時パラメータの第1の値または第2の値を含むNASメッセージをUEから受信すると、ネットワークはそれらを有効とみなす。例えば、5GCが、ステップ4で割り当てられたUE temporary identityの新しい値を含むREGISTRATION REQUESTメッセージを受信した場合、5GCはこのUEをUE temporary identityの新しい値で識別する。  
【００５０】
ソリューション2の変形:
【００５１】
(1) 上記の場合の一時パラメータは、UEの5G temporary identity (5G-GUTI) 、拡張DRX(extended DRX) (eDRX) 、DRX、許可登録領域(allowed registration area)、非許可登録領域(non-allowed registration area)、禁止登録領域(forbidden registration area)、もしくはスライス関連情報 (allowed NSSAI、NSSP)であり、例えば、UEに割り当てられ、第1のアクセスネットワークタイプ及び第2のアクセスネットワークタイプの両方に適用可能なURSP、または、他の一時パラメータである。
【００５２】
(2) 第1のNASメッセージ、第2のNASメッセージ、第3のNASメッセージは、既存のNASメッセージまたは新しいNASメッセージである。一例では、第1のNASメッセージはREGISTRATION REQUESTメッセージであり、第2のNASメッセージはREGISTRATION ACCEPTメッセージであり、第3のNASメッセージはREGISTRATION COMPLETEメッセージである。
【００５３】
(3) 第1のアクセスネットワークタイプおよび第2のネットワークアクセスタイプは、3GPPアクセスネットワーク (NG-RAN) または非3GPPアクセスである。第1のネットワークアクセスタイプは、第2のネットワークタイプとは異なる(例えば、第1のネットワークタイプが3GPPアクセスである場合、第2のネットワークタイプは非3GPPアクセスである)。上記の手順では、UEは第1のアクセスネットワークタイプでは5GMM-CONNECTEDモードであるか、もしくは5GMM-IDLEモードである。
【００５４】
(4) 5GC ( AMF ) がUEをページングする必要があり (つまり、ダウンリンクパケットがUEに到達するか、5GCがシグナリングメッセージをUEに送信する必要がある) 、一時パラメータが5G-GUTIの場合、5GC ( AMF ) は古い5G-GUTIを使用し、さらに新しい5G-GUTIを使用して2回ページングを行う。
【００５５】
(5) 5GC ( AMF ) がUEをページングする必要があり (つまり、ダウンリンクパケットがUEに到達するか、5GCがシグナリングメッセージをUEに送信する必要がある) 、一時パラメータがeDRXの場合、5GC ( AMF ) は古いeDRXを使用し、さらに、新しいeDRXを使用して2回ページングを行う。最初のページングは、ページングのタイミングが他方のeDRXよりも早く来るeDRXのタイミングに発生することがある。最初のページングが失敗した場合、5GC ( AMF ) は他方のeDRXのタイミングにUEをページングする。
【００５６】
(6) あるシナリオでは、UEが第1のアクセスネットワークタイプおよび第2のアクセスネットワークタイプの両方を介してPLMNに接続（attach）され、ネットワークがモビリティ更新手順、周期的更新手順、または他の手順に関するNASメッセージ (例:REGISTRATION REQUESTメッセージ) を受信する場合、ネットワーク (5GC ( AMF )) はステップ4から9に従う。 
【００５７】
(7) 別のシナリオでは、UEが第1のアクセスネットワークタイプと第2のアクセスネットワークタイプの両方を介してPLMNに接続され、ネットワークがUE temporary parameters(例えば、UE temporary identity (5G-GUTI)) を更新するためにNAS手順を開始する場合、ネットワーク (5GC ( AMF ) はステップ4から9に従う。このシナリオの例は、Generic UE configuration update procedureである。
【００５８】
(8) 5GC ( AMF ) が2セットの一時パラメータ (例:5G-GUTIおよびeDRXパラメータ) を保持している間にページング手順が成功した後、5GC ( AMF ) は、成功したページング手順に使用されたUE用の一時パラメータのセットを1つだけ保持する。つまり、5GC ( AMF ) は、他方の1セットの一時パラメータを削除する。
【００５９】
(9) 5GC ( AMF ) が2つの一時パラメータセット (例:5G-GUTIESおよびeDRXパラメータ) を保持している間に登録手順が成功した後、5GC ( AMF ) は、成功した登録手順に使用されたUE用の一時パラメータセットを1つだけ保持する。つまり、5GC ( AMF ) は、他方の1セットの一時パラメータを削除する。
【００６０】
ネットワークが1つの一時パラメータ (例:UE Temporary identity (5G-GUTI) 、 ngKSI)を保持する場合、一部の機能は動作しない。このような状況の一例は、UEが、ネットワークが保持する一時パラメータ以外の一時パラメータ (例えば、UE temporary identity一時識別 (5G-GUTI) ) を保持する可能性があるために、第1のアクセスネットワークではnetwork起動手順が不可能である (例:UEをページングできない) ことである。したがって、ネットワークが古い一時パラメータと新しい一時パラメータの両方をしばらく保持する場合、技術的な利点がある。
【００６１】
ユーザ機器 (UE)
図4は、UEの主要構成要素を示すブロック図である。図示のように、UE(100)は、1つ以上のアンテナ(104)を介して、接続されたノードに信号を送信し、かつ、ノードから信号を受信するように動作可能なトランシーバ回路 (103)を含む。必ずしも図4に示されていないが、UEは当然ながら一般的なモバイル装置のすべての通常の機能(ユーザーインターフェース（102）など)を有し、これは、ハードウェア、ソフトウェアおよびファームウェアの任意の1つまたは任意の組み合わせによって適切に提供され得る。ソフトウェアは、例えば、メモリにプリインストールされていてもよく、および/または、電気通信ネットワークを介して、またはremovable data storage device(RMD)からダウンロードされてもよい。
【００６２】
コントローラは、メモリ(105)に記憶されたソフトウェアに従ってUEの動作を制御する(101)。ソフトウェアは、とりわけ、オペレーティングシステムと、少なくともトランシーバ制御モジュール(107)を有する通信制御モジュール(106)とを含む。通信制御モジュール(106)(トランシーバ制御サブモジュールの使用)は、UEと他のノード、例えば基地局/(R)ANノード、MME、AMF (その他のコアネットワークノード)との間のシグナリングおよびアップリンク/ダウンリンクデータパケットの処理 (生成/送信/受信)を担当する。このようなシグナリングは、例えば、接続確立および維持(例えばRRC接続確立および他のRRCメッセージ)、周期的位置更新関連メッセージ (例えば、tracking area update、ページングエリア更新、ロケーションエリア更新) などに関連する適切にフォーマットされたシグナリングメッセージを含み得る。このようなシグナリングは、例えば、受信ケースにおけるブロードキャスト情報(例えばマスター情報やシステム情報など)も含み得る。
【００６３】
(R)ANノード
図5は、例示的な (R)ANノード(200)の主要構成要素を示すブロック図である。（R）ANノード(200)は、3GPPアクセスノード及び非3GPPアクセスノードを含む。3GPPアクセスノードは、基地局(例えばLTEでは「eNB」、5Gでは「gNB」)であってもよい。図示されるように、 (R)ANノード(200)は、1つ以上のアンテナ(204)を介して接続されたUEと信号を送受信し、ネットワークインターフェース(202)を介して他のネットワークノードと信号を(直接的または間接的に)送受信するように動作可能なトランシーバ回路(203)を含む。コントローラ(201)は、メモリ(205)に記憶されたソフトウェアに従って、 (R)ANノードの動作を制御する。ソフトウェアは、例えば、メモリにプリインストールされていてもよく、および/または、電気通信ネットワークを介して、またはremovable data storage device(RMD)からダウンロードされてもよい。ソフトウェアは、とりわけ、オペレーティングシステムと、少なくともトランシーバ制御モジュール (207)を有する通信制御モジュール(206)とを含む。
【００６４】
通信制御モジュール (206)(トランシーバ制御サブモジュールの使用) は、 (R)ANノードと、UE、MME、AMFなどの他のノードとの間の(例えば直接的または間接的な)シグナリングの処理(生成/送信/受信)を担当する。シグナリングは、例えば、無線接続およびロケーション手順(特定のUEに対して)、特に、接続確立および維持(例えば、RRC接続確立および他のRRCメッセージ)、周期的ロケーション更新関連メッセージ (例えば、tracking area update、ページングエリア更新、ロケーションエリア更新)、S1APメッセージおよびNG APメッセージ(すなわちN2 reference pointによるメッセージ)、Y2 reference pointによるメッセージなどに関連する適切にフォーマットされたシグナリングメッセージを含んでもよい。このようなシグナリングは、例えば、送信ケースにおけるブロードキャスト情報 (マスター情報やシステム情報など)も含んでもよい。
【００６５】
コントローラはまた、搭載されると、UE移動推定および/または移動軌道推定などの関連タスクを(ソフトウェアまたはハードウェアによって)処理するように構成される。
【００６６】
AMF
図6は、AMF(300)の主要構成要素を示すブロック図である。AMF(300)は5GCに含まれている。図示されるように、AMF(300)は、ネットワークインターフェース(302)を介して他のノード(UEを含む)と信号を送受信するように動作可能なトランシーバ回路(303)を含む。コントローラ(301)は、メモリ(304)に記憶されたソフトウェアに従ってAMF(300)の動作を制御する。ソフトウェアは、メモリ(304)にプリインストールされていてもよく、および/または、例えば、電気通信ネットワークを介して、またはremovable data storage device(RMD)からダウンロードされてもよい。ソフトウェアは、とりわけ、オペレーティングシステムと、少なくともトランシーバ制御モジュール(306)を有する通信制御モジュール (305) とを含む。
【００６７】
通信制御モジュール (トランシーバ制御サブモジュールの使用)は、AMFと、UE、基地局/(R)ANノード(例えば「EUTRAN Node」または「eNB」)などの他のノードとの間の(直接的または間接的な)シグナリングの処理(生成/送信/受信)を担当する。このようなシグナリングは、例えば、NASメッセージをUEとの間で搬送するために、本明細書に記載される手順に関連する適切にフォーマットされたシグナリングメッセージ、例えばNG APメッセージ (すなわち、N2 reference pointによるメッセージ)を含んでもよい。
【００６８】
本出願は、2018年3月28日に出願されたインド特許出願第201811011620号に基づく優先権の利益を主張するものであり、その開示の全体を参照により本明細書に援用する。
【符号の説明】
【００６９】
100 UE
101コントローラー
102ユーザー・インタフェース
103トランシーバ回路
104アンテナ
105メモリ
106制御モジュール
107トランシーバー制御モジュール
200 (R) ANノード
201コントローラー
202ネットワークインターフェイス
203トランシーバ回路
204アンテナ
205メモリ
206通信制御モジュール
207トランシーバー制御モジュール
300 AMF
301コントローラー
302ネットワークインターフェイス
303トランシーバ回路
304メモリ
305通信制御モジュール
306トランシーバー制御モジュール
【図１】
2021508216.tif 000003
【図２】
2021508216.tif 000004
【図３Ａ】
2021508216.tif 000005
【図３Ｂ】
2021508216.tif 000006
【図４】
2021508216.tif 000007
【図５】
2021508216.tif 000008
【図６】
2021508216.tif 000009
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
3GPP（3rd Generation Partnership Project）及び非3GPPアクセスの両方を介して同一のAMF（Access and mobility Management Function）を用いて登録手順（registration procedure）を実行するuser equipmentの方法であって、
前記3PPアクセス及び前記非3GPPアクセスのうちの一方のアクセスネットワークを介して5G-GUTI（5G-Globally Unique Temporary Identity）を用いて、前記AMFと前記登録手順を開始し、この場合、user equipmentは、前記一方のアクセスネットワークとは異なる他方のアクセスネットワークを介して前記5G-GUTIを用いて、前記AMFに既に登録されており、
前記一方のアクセスネットワークを介した前記登録手順が開始された場合にタイマーを起動し、
前記タイマーの満了に基づいて前記一方のアクセスネットワークを介して登録手順を再開し、
前記一方のアクセスネットワークを介して登録手順を再開した回数がある回数と同じ値になった場合、前記他方のアクセスネットワークに割り当てられた前記5G-GUTIを保持し、前記他方のアクセスネットワークに割り当てられていないパラメータを削除する、方法。
【請求項２】
3GPP（3rd Generation Partnership Project）及び非3GPPアクセスの両方を介して同一のAMF（Access and mobility Management Function）を用いて登録手順（registration procedure）を実行するuser equipmentであって、
トランシーバと、
前記トランシーバに接続されているプロセッサと、を備え、
前記プロセッサは、
前記3PPアクセス及び前記非3GPPアクセスのうちの一方のアクセスネットワークを介して5G-GUTI（5G-Globally Unique Temporary Identity）を用いて、前記AMFと前記登録手順を開始し、この場合、user equipmentは、前記一方のアクセスネットワークとは異なる他方のアクセスネットワークを介して前記5G-GUTIを用いて、前記AMFに既に登録されており、
前記一方のアクセスネットワークを介した前記登録手順が開始された場合にタイマーを起動し、
前記タイマーの満了に基づいて前記一方のアクセスネットワークを介して登録手順を再開し、
前記一方のアクセスネットワークを介して登録手順を再開した回数がある回数と同じ値になった場合、前記他方のアクセスネットワークに割り当てられた前記5G-GUTIを保持し、前記他方のアクセスネットワークに割り当てられていないパラメータを削除する、user equipment。
【手続補正３】
【補正対象書類名】明細書
【補正対象項目名】０００９
【補正方法】変更
【補正の内容】
【０００９】
本文書では、3GPP TR 21.905、3GPP TS 23.501、3GPP TS 24.501、3GPP TS38.300および以下に示す略号を適用する。本文書で定義されている略語は、TR 21.905で同じ略語が定義されている場合、その定義よりも優先される。
5GC    5G Core Network
5GS    5G System
5G-AN    5G Access Network
5G-GUTI    5G Globally Unique Temporary Identifier
5G-S-TMSI    5G S-Temporary Mobile Subscription Identifier
5QI    5G QoS Identifier
AF    Application Function
AMF    Access and Mobility Management Function
AN    Access Node
AS    Access Stratum
AUSF    Authentication Server Function
CP    Control Plane
DL    Downlink
DN    Data Network
DNAI    DN Access Identifier
DNN    Data Network Name
EDT    Early Data Transmission
FQDN    Fully Qualified Domain Name
GFBR    Guaranteed Flow Bit Rate
GMLC    Gateway Mobile Location Centre
GPSI    Generic Public Subscription Identifier
GUAMI    Globally Unique AMF Identifier
HR    Home Routed (roaming)
LADN    Local Area Data Network
LBO    Local Break Out (roaming)
LMF    Location Management Function
LRF    Location Retrieval Function
MAC    Medium Access Control
MFBR    Maximum Flow Bit Rate
MICO    Mobile Initiated Connection Only
N3IWF    Non-3GPP InterWorking Function
NAI    Network Access Identifier
NAS    Non-Access Stratum
NEF    Network Exposure Function
NF    Network Function
NG-RAN    Next Generation Radio Access Network
NR    New Radio
NRF    Network Repository Function
NSI ID    Network Slice Instance Identifier
NSSAI    Network Slice Selection Assistance Information
NSSF    Network Slice Selection Function
NSSP    Network Slice Selection Policy
PCF    Policy Control Function
PEI    Permanent Equipment Identifier
PER    Packet Error Rate
PFD    Packet Flow Description 
PPD    Paging Policy Differentiation
PPI    Paging Policy Indicator
PSA    PDU Session Anchor
QFI    QoS Flow Identifier
QoE    Quality of Experience
(R)AN    (Radio) Access Network
RLC    Radio Link Control
RQA    Reflective QoS Attribute
RQI    Reflective QoS Indication
RRC    Radio Resource Control
SA NR    Standalone New Radio
SBA    Service Based Architecture
SBI    Service Based Interface
SD    Slice Differentiator
SDAP    Service Data Adaptation Protocol
SEAF    Security Anchor Functionality
SEPP    Security Edge Protection Proxy
SMF    Session Management Function
S-NSSAI    Single Network Slice Selection Assistance Information
SSC    Session and Service Continuity
SST    Slice/Service Type
SUCI    Subscription Concealed Identifier
SUPI    Subscription Permanent Identifier
UDSF    Unstructured Data Storage Function
UL    Uplink
UL CL    Uplink Classifier
UPF    User Plane Function
UDR    Unified Data Repository
URSP    UE Route Selection Policy
Evolved E-UTRAN:  E-UTRANCE connected to both 5GC and EPC. It is ng-eNB as defined in 3GPP TS 38.300.
ePLMN:  Equivalent PLMN.
【手続補正４】
【補正対象書類名】明細書
【補正対象項目名】００４９
【補正方法】変更
【補正の内容】
【００４９】
9.5GC ( AMF ) は、ステップ7をある回数 (n) 繰り返す。5GCが第2のNASメッセージの応答として第3のNASメッセージを受信しない場合、ある回数の再試行の後、5GCは第2のNASメッセージの再送を停止し、第2のアクセスネットワークタイプ上の初期登録手順を中止する。第1のアクセスネットワークタイプ上のUEの登録ステータスは変更されず、第1のアクセスネットワークタイプ上の進行中のNAS手順は影響を受けない。5GCは一時パラメータの新しい値と古い値の両方を保持する。5GCは、新しい値と古い値の両方を第1のアクセスネットワークタイプで有効な値として扱う。5GCは、第1のアクセスネットワークタイプを介するUE 起動手順またはnetwork 起動手順に、古い値または新しい値、あるいは新しい値と古い値の両方を使用する。5GCが一時パラメータの第1の値または第2の値を含むNASメッセージをUEから受信すると、ネットワークはそれらを有効とみなす。例えば、5GCが、ステップ4で割り当てられたUE temporary identityの新しい値を含むREGISTRATION REQUESTメッセージを受信した場合、5GCはこのUEをUE temporary identityの新しい値で識別する。
【国際調査報告】
2021508216.tif 000010